(57)【特許請求の範囲】
【請求項１】
基礎から頂部にまで垂直方向に延びた外筒と内側面が煙道を画成する耐火煉瓦壁とを備えた煙突の煙道内洗浄方法において、
煙突頂部から挿入され、高圧エア供給部材に連結され、前記高圧エア供給部材に対して回動可能に保持された高圧エア噴出手段であって、前記高圧エア供給部材に連結され、該高圧エア噴出手段中心に配設された中心エアモータと、該中心エアモータに軸対称に取付られ前記高圧エアを前記煙道内側面に供給する連通部材と、該連通部材の前記煙道内側面に近接する端部に備えられ前記連通部材の弾性により前記煙道内側面に押圧されるガイド部材と、該連通部材の前記煙道内側面に向いた側に設けられ前記高圧エアを前記煙道内側面に噴射するエアノズルとを有する前記高圧エア噴出手段を備える遠隔操作可能な煙道内洗浄手段を前記煙道に挿入し、煙道内部を周囲環境から遮断し、高圧エアを煙道内側面に前記エアノズルと、前記煙道内側面との間の距離を一定に保ちつつ噴出させて該煙道内側面の周方向に沿って前記高圧エア噴出手段を回動させ、前記煙突の垂直方向にわたって前記煙道内洗浄手段を移動させることにより前記煙道内側面から燃焼付着灰を除去するとともに前記煙突の下側に形成された開口に連結させた前記燃焼付着灰を捕捉するフィルター手段を備える吸引手段により吸引することを含む煙道内洗浄方法。
【請求項２】
さらに、前記耐火煉瓦壁は、前記外筒に沿って径方向内側に離間し周方向に延びて前記外筒との間に空間を形成しており、前記方法は、さらに前記外筒と前記耐火煉瓦壁とを固定する充填材を前記空間に充填する充填材注入工程とを含むことを特徴とする請求項１に記載の煙道内洗浄方法。
【発明の詳細な説明】
【０００１】
【発明の属する技術分野】
本発明は、焼却場の解体に関し、より詳細には煙道内洗浄方法及び煙道内洗浄装置に関する。
【０００２】
【従来の技術】
有害物質等を扱ったプラント又は焼却場を解体する際、稼働を止めた後も、有害物質は依然としてプラントの中に残留する。したがって、プラント又は焼却場を解体したり、回収する場合には、有害物質が人体を汚染したり、汚染物質が周辺環境に飛散し環境を汚染することが問題とされている。このようなプラント内を人間の手で洗浄する等の作業は非常に危険を伴う作業である。また、このように高濃度に汚染したプラント内、特に燃焼生成物が排出される煙突は、汚染状態が劣悪でまた、煙突自体が高度を有しているため、解体に際し周囲に汚染された有害物質が飛散しやすく、その解体に際しては、作業環境及び周辺環境に対して著しく注意する必要がある。
【０００３】
従来、このような煙突の解体に際しては、煙突を横倒しにして解体するか、短尺に切断して解体する方法、煙突を横倒しにせず、頂部から下側へと順次斫る解体方法が採られている。その際、有害物質が空気中に飛散して、周囲環境を汚染するという問題がある。また、通常煙突には、外筒の内側部に耐火煉瓦が内張りされており、解体時に有害物質に汚染された煉瓦が煙突上部から落下して散乱し、これに伴う周囲環境への汚染や、作業者への危険を伴うという問題点もある。
【０００４】
このような耐火煉瓦を有する煙突を解体する際従来では、（１）耐火煉瓦をまず先に除去する、（２）耐火煉瓦の有害物質を除去、分解、固着、洗浄する、（３）耐火煉瓦を外筒と固定し、外筒と耐火煉瓦とを同時に解体するという方法が採られている。しかしながら、上述のように煙突の内部は高度に汚染されており、特に耐火煉瓦は煙道を画成しているため汚染の程度がひどく、耐火煉瓦を先に除去するのでは、汚染されたレンガが落下して周囲環境を汚染したり、作業者が高度に汚染された煉瓦を取扱わなければならず、周囲環境への影響が無視できない。また、作業環境の点でも作業者への影響が無視できない、といった問題もある。また、上述した煙突の解体に先立って煙道内部を洗浄等する方法は、洗浄の後に煙突の解体を行うので、煉瓦の落下等による周囲環境への影響は少なくできるものの、洗浄時に作業者が煙道内部に入って作業を行うことが必要になるため、作業環境的に好ましくない。また、作業者による洗浄時に未洗浄の煉瓦が落下して周囲環境を汚染したり、作業環境的にも問題が多い。また、耐火煉瓦を外筒と固定して解体する場合であっても、同様に作業環境的に望ましくなく、また別途周囲環境への配慮を行う必要がある。
【０００５】
また、従来のように高濃度のダイオキシン等により汚染された煙突等の設備を手作業で除去する場合、汚染防止用の特別の作業着が必要とされたり、呼吸を行うために、空気ボンベ又は別途空気を供給する必要が生じる。また、作業者が容易に入れない部分も多く、このため危険度が益々高くなる。一方では、作業により汚染された作業着及び器具は、再度使用するには適さないので廃棄しなければならず、また、上述のような保護を行ったとしても作業者を完全に汚染から保護することが困難である。
【０００６】
上述の理由から作業者が煙道内に入って作業をすることは作業環境上好ましくなく、またその解体に際しても、周辺環境への汚染を極力防止する必要がある。
【０００７】
したがって、これまで、焼却場等に設けられた煙突の解体に際して、周囲環境を汚染せず、作業環境的にも許容できるように無人化して煙道内部の洗浄を行うことができ、かつ効率の良い煙道内洗浄方法及び煙道内洗浄装置が要求されていた。
【０００８】
【発明が解決しようとする課題】
従って、本発明は、上述の問題点に鑑み、作業環境を著しく改善すると共に、周辺環境への影響を最小限に止める焼却場プラント、特に焼却場等の煙突の煙道内洗浄方法及び煙道内洗浄装置を提供することを目的とする。
【０００９】
【課題を解決するための手段】
本発明の請求項１の発明によれば、基礎から頂部にまで垂直方向に延びた外筒と内側面が煙道を画成する耐火煉瓦壁とを備えた煙突の煙道内洗浄方法において、
煙突頂部から挿入される高圧エア供給部材に連結され、前記高圧エア供給部材に対して回動可能に保持された高圧エア噴出手段を備える遠隔操作可能な煙道内洗浄手段を前記煙道に挿入し、煙道内部を周囲環境から遮断し、高圧エアを煙道内側面に噴出させて該煙道内側面の周方向に沿って前記高圧エア噴出手段を回動させ、前記煙突の垂直方向にわたって前記煙道内洗浄手段を移動させることにより前記煙道内側面から燃焼付着灰を除去するとともに前記煙突の下側に形成された開口に連結させた前記燃焼付着灰を捕捉するフィルター手段を備える吸引手段により吸引することを含む煙道内洗浄方法が提供される。
【００１０】
本発明の請求項２の発明によれば、前記高圧エア噴出手段は、前記高圧エア供給部材に連結されると共に、該高圧エア噴出手段中心に配設されたエアモータにより駆動され、さらに、前記外筒と前記耐火煉瓦壁とを固定する充填材を前記空間に充填する充填材注入工程とを含むことを特徴とする煙道内洗浄方法が提供される。
【００１１】
本発明の請求項３の発明によれば、前記煙道内洗浄手段は、煙道内に挿入され煙突の中心軸と同心に配設される上側支持体及び下側支持体と、該上側支持体と該下側支持体の間に同心に取付けられ高圧エア供給部材から供給される高圧エアにより回動可能な高圧エア噴出部材と、一端が上記上側支持体に運動可能に取付けられ他端に煙道内側面に隣接する回転部材を備え軸対称に上記上側支持体に取付けられた複数の上側支持部材と、上記上側支持体と上記下側支持体と上記高圧エア噴出部材とを一体として垂直方向に移動可能に吊下する移動手段を取付けるため上記上側支持体に備えられた取付部材と、一端が上記下側支持体に運動可能に取付けられ他端に上記煙道内側面に隣接する回転部材を備え軸対称に上記下側支持体に取付けられた複数の下側支持部材と、一端が上記下側支持体に取付けられ他端が該下側支持部材に連結されて該下側支持部材を上記煙道内側面に対して押圧するための複数の押圧部材とを備え、上記移動手段により垂直方向に移動されると共に上記高圧エア噴出部材から上記高圧エアを噴出させることにより燃焼付着灰を除去することで上記煙道内側面を垂直方向及び周方向に対して洗浄することを特徴とする煙道内洗浄方法が提供される。
【００１２】
本発明の請求項４の発明によれば、上記上側支持部材及び上記下側支持部材に配設される上記回転部材は、上記煙道内洗浄装置を上記煙突の垂直方向にガイドするガイドローラとされていることを特徴とする煙道内洗浄方法が提供される。
【００１３】
本発明の請求項５の発明によれば、上記高圧エア噴出部材は、上記高圧エアが導入され回動可能に支持された中心エアモータと、該中心エアモータに軸対称に取付られ上記高圧エアを上記煙道内側面に供給する連通部材と、該連通部材の上記煙道内側面に近接する端部に備えられ上記連通部材の弾性により上記煙道内側面に押圧されるガイド部材と、該連通部材の上記煙道内側面に向いた側に設けられ上記高圧エアを上記煙道内側面に噴射するエアノズルとを備えていることを特徴とする煙道内洗浄方法が提供される。
【００１４】
本発明を適用する煙突解体工法は、煙突の煙道内を密閉下で無人化施工により洗浄し、また、煙突を横倒しにすることなく静的な大割工程に続いて遠隔操作による無人化した小割工程を行うことを特徴とするものである。以下、本発明の無人化施工に用いられる構成部材及び装置について説明する。
【００１５】
図２には、図１に示した煙突１に対し、本発明を適用する煙突解体工法における無人化洗浄工程を施工しているところが示されている。煙道口５には、集塵機８が配設されて密閉され、煙道１の頂部には、頂部密閉用の密閉カバー９が配設されているのが示されている。このように煙突１内部を周囲環境から密閉した状態で煙道６内部を洗浄することにより、煙道６内部の燃焼付着灰を周囲環境に放出することなく、作業者に対する汚染も無く、煙突解体工事を行うことが可能となる。
【００１６】
図２には、また煙道６内部に高圧エアによるエア噴出により煙道内側面１０を洗浄するための煙道内洗浄装置１１と、この煙道内洗浄装置１１を垂直方向に移動可能に吊下するためのウインチ１２と、煙道内洗浄装置１１に高圧エアを供給するための高圧エア供給部材１３と、高圧エアを発生させるためのコンプレッサ１４と、が配置されているのが示されている。
【００１７】
煙道内洗浄装置１１は、ウインチ１２からワイヤ１５といった吊下げ手段により煙突１の中間部に吊り下げられており、さらにコンプレッサ１４からの高圧エアが供給される高圧エア供給部材１３が連結されている。この高圧エア供給部材１３は、高圧エアの圧力に充分耐えられるような柔軟なホースとされていて、ウインチ１２により上下移動される煙道内洗浄装置１１の移動に追従するようにされている。このホースの剛性や、内径等は、ホースの必要とされる柔軟性及び必要とされる高圧エア供給量等に適合させるように適宜選択することができる。
【００１８】
図３は、図２の切断線Ａ−Ａに沿って煙突を切断し、煙道６内に収容されている煙道内洗浄装置１１と煙突１の断面とを示した図である。煙突１は、ＲＣ製の外筒３を最も外側として、径方向内側に向かって、断熱のための空間７と、耐火煉瓦により形成され外筒３から径方向内側に離間して上述の空間７を形成する耐火煉瓦壁４とから形成されているのが示されている。この空間７には、後述する工程により軽量発泡モルタルが充填されているのが示されている。耐火煉瓦壁４の内側面は、煙道６を形成する煙道内側面１０とされている。この煙道内側面１０には、燃焼付着灰が長期の使用により堆積しており、この燃焼付着灰には、周囲環境に放出され、また作業者が接触することが好ましくないダイオキシンといった有害成分が高濃度に含有されている。
【００１９】
図２に示され、図３にさらに詳細に示した煙道内洗浄装置１１は、遠隔操作されることにより上述した劣悪な環境下にある煙道６内部を、作業者が煙道６内部に入って作業をせずに洗浄できるようにされている。
【００２０】
図３においては、高圧エアを煙道内側面１０に噴出させるための高圧エア噴出手段として用いられる高圧エア噴出装置１７を明瞭に示すように、後述する上側支持体１６を省略して示している。高圧エア噴出装置１７の中心は、煙道６の中心と同心とされており、煙道内洗浄装置１１の運転が円滑に行われ、均一な洗浄ができるように構成されている。この高圧エア噴出装置１７の中心部は、下側支持体１８の中心に回動可能に支持されていると共に、高圧エア導入口１９が設けられていてエアモータ１７’が形成されている。
【００２１】
高圧エア噴出装置１７の中心からは、内部に高圧エアが通されるスプリングパイプ２０が径方向外側に向けて煙道内側面１０に近接するようにして延ばされている。このパイプ２０は、中心軸を中心として軸対称に配置され、高圧エアの圧力が均一に作用するようにされている。図３においては、このパイプ２０は、３本とされているが、この数は煙道内洗浄装置１１の適切な洗浄効果や動作を得るために適宜変更することが可能である。このパイプ２０の先端部にはまた、煙道内側面１０に隣接し周方向に回動するローラといったガイド部材２１が配設されている。このガイド部材２１は、スプリングパイプ状に形成されたパイプ２０の弾性によりローラ２１を煙道内側面１０に押圧させて、後述する高圧エアノズルと煙道内側面１０との離間を一定に保っている。パイプ２０には、このローラ２１から回転中心に向かった方向で、かつ煙道内側面１０に面した位置に、エアノズル２２が設けられており、コンプレッサ１４から供給された高圧エアを煙道内側面１０に向かって噴出させて煙道内側面１０を洗浄することができるようにされている。
【００２２】
図４は、図３の切断線Ｂ−Ｂに沿って煙突１を切り欠いて図中矢線Ｃの方向から見た場合の本発明の煙道内洗浄装置１１を示した図である。本発明の煙道内洗浄装置１１は、上側支持体１６と、高圧エア噴出装置１７と下側支持体１８とを備えており、高圧エア噴出装置１７は、上側支持体１６と下側支持体１８の間にエアスイベル２３を中心として配置されている。エアスイベル２３には、エアホース１３が連結されており、コンプレッサ１４からの高圧エアが導入されると、供給される高圧エアにより高圧エア噴出装置１７が回転するようにされている。
【００２３】
上側支持体１６には、中心軸に対称に配設され上側に向かって突出する上側支持部材２４ａ，２４ｂの一端が運動可能に取付られている。この上側支持部材２４ａ，２４ｂの他端には、ガイドローラといった回転部材２５ａ，２５ｂが設けられていて、この上側支持部材２４ａ，２４ｂの回転部材２５ａ，２５ｂが煙道内側面１０にスプリングにより当接している。
【００２４】
図４に示される下側支持体１８には、中心軸に対称に配設され下側に向かって突出する下側支持部材２６ａ，２６ｂの一端が運動可能に取付られている。この下側支持部材２６ａ，２６ｂの他端には、ガイドローラといった回転部材２７ａ，２７ｂが設けられている。この下側支持部材２６ａ，２６ｂのガイドローラ２７ａ，２７ｂは、下側支持体１８の下側部に取付けられ、煙道内側面１０に向かって延ばされて端部が下側支持部材２６ａ，２６ｂの下側部に連結された押圧部材、例えばエアシリンダー２８ａ，２８ｂにより煙道内側面１０に隣接するように押圧されている。このようにガイドローラ２７ａ，２７ｂを煙道内側面１０に向かって押圧することによって上側支持部材２４ａ，２４ｂと共に煙道内洗浄装置１１の煙道６内での配置を安定化させ、高圧エア噴出装置１７の回転の反作用により煙道内洗浄装置１１自体が回転してしまわないようにされている。さらに図４には、煙道内洗浄装置１１がワイヤ１５により取付部材２９を介して吊下られているのが示されている。
【００２５】
また、本発明が適用される煙突解体工法における無人化小割工程においては、遠隔操作できるバックホウといった粉砕手段を用いるが、これについては図９を用いてより詳細に後述する。
【００２６】
図５は、本発明を適用する焼却プラント等の煙突解体工法のフローチャートを示した図である。本発明が適用される煙突解体工法は、ステップ１０１から開始され、次いで、ステップ１０２の準備工事に移り、煙突１周囲にコンプレッサ１４や、集塵機８や、後述するように発泡モルタルを煙突１の空間７に充填するための機材を配置したり、周辺の不要物を撤去する等の準備工事が行われる。
【００２７】
次いで、本発明を適用する解体工法は、ステップ１０５において解体工程中に耐火煉瓦壁４を形成する耐火煉瓦が落下しないように、外筒３と耐火煉瓦壁４とを固定する充填材を注入する充填材注入工程に移る。このステップ１０５の充填材注入工程により、外筒３と耐火煉瓦壁４の間の空間７に充填材、具体的にはステップ１０３及びステップ１０４で調合された軽量発泡モルタルが充填され、汚染煉瓦洗浄工程１０６や、その後の短尺切断加工工程１０７において、耐火煉瓦が落下しないようにされ、作業の安全が確保されると共に、煉瓦の落下による周囲環境への汚染等を最小限とすることができる。このステップ１０５を詳細に図６を用いて説明する。
【００２８】
図６は、上述したステップ１０５における充填材充填工程を詳細に示した図である。図６に示す煙突１は、地中に埋設された基礎から垂直方向に延びたＲＣ製の外筒３と、この外筒から径方向内側に離間して外筒３に沿って形成され、外筒３との間に空間７を形成する耐火煉瓦で形成された耐火煉瓦壁４と、から形成されている。また、図６では、説明の便宜のため、不必要な部材を省略し空間７を拡大して示している。
【００２９】
ステップ１０５に示す充填材充填工程は、まず、煙突頂部の空間７に相当する部分に開口部３１を確保することから開始する。この開口部３１は、発泡モルタルといった充填材を導入するための充填材注入手段３２を挿入するために用いられる。この充填材注入手段３２としては、具体的にはパイプ、チューブ、ホースといった充填材を適切に供給でき、煙突１と充填ポンプ３３との間を連結できるような太さ、柔軟性の部材であれば、いかなる部材でも用いることができる。図６では、上述の開口部３１は２カ所に設けられ、充填材注入手段３２は、２本用いられているのが示されているが、本発明においては、この数は、適切な時間で空間７に軽量発泡モルタルといった充填材を充填することができるような数であれば、１本でも良く、２本よりも多く用いられても良い。
【００３０】
この開口３１を確保した後、充填材充填手段３２を開口部３１から空間７内へと挿入する。この時、挿入は、充填材注入手段３２の先端部が、略地面の水準となるまで挿入される。このようにすることによって、後述するステップ１０８の切断部移動工程における切断部分の重量を軽減させるため、またコストを低下させるために用いられる軽量発泡モルタルを煙突下部、特に地表から露出している部分において隙間なく充填することが可能となり、後の切断工程の確実化、効率化が図られることになる。
【００３１】
次いで、予め充填プラント３４により調合しておいたモルタルに発泡剤混合機３５により発泡剤を混合し、軽量発泡モルタル充填材を調合する。このようなモルタルとしては、例えば、小野田ケミコ株式会社の気泡モルタル等を挙げることができるが、本発明の目的を達成することができれば、軽量モルタル、発泡モルタル、軽量コンクリート等、又はこれら以外のいかなる充填材であっても適宜使用することができる。発泡剤の混合された軽量発泡モルタルを充填用ポンプにより充填材注入手段３２を通じて空間７内に圧送して充填を行う。図６内ではすでに充填された軽量発泡モルタル部分３６が模式的に示されている。充填材である軽量発泡モルタルの充填が煙突１の頂部まで行われると充填用ポンプ３３を停止させ充填を止める。この後、軽量発泡モルタルが固化することにより、外筒３と耐火煉瓦壁４とが強固に固着され、煉瓦の脱落といった弊害を防止することが可能となる。なお、充填材注入手段３２は、必要に応じて軽量発泡モルタル充填後に抜き取っても良いし、またそのまま軽量発泡モルタルが固化するまで放置し、後述するステップ１０７の短尺切断工程において外筒３等と共に切断することも可能である。
【００３２】
次いで本発明が適用される解体工法は、ステップ１０６の汚染煉瓦洗浄工程に移る。図２を参照してこの工程を説明すると、煙道内洗浄装置設置用架台３０を煙突の外筒３に設置し、煙道内洗浄装置１１のためのウインチ１２を配置する。次いで、煙道口５に集塵機８を通気パイプ８ａを介して煙道口５に接続して、煙道口５を密閉する。次いで、ウインチ１２のワイヤ１５に連結された煙道内洗浄装置１１を煙道６内に導入する。次いで、煙突頂部を密閉カバー９によって密閉し、煙道内部を周囲環境から遮断する。このようにすることにより、煙道６内部の汚染物質が周囲環境へと排出されて周囲環境や、作業者を汚染する可能性が最低化できる。次いで、コンプレッサ１４を起動して煙道内洗浄装置１１に高圧エアを送り、煙道内洗浄装置１１の高圧エアノズル２２から高圧エアを噴出させて高圧エア噴出装置１７を回転させつつ、周方向に燃焼付着灰の洗浄を行う。上述の煙道内洗浄装置１１への高圧エアの供給開始と同時に集塵機８を起動して、洗浄により煙道内側面１０から分離された燃焼付着灰を吸引させる。このようにすることによって煙道内の洗浄を行うと同時に、汚染された燃焼付着灰を含んだ空気流は、図２の矢線Ｄの方向に向かって流れて行き、燃焼付着灰の回収を行うことが可能となる。上述の煙道内洗浄装置１１が、周方向の燃焼付着灰の洗浄を終えると、煙道内洗浄装置１１は、ウインチ１２を遠隔操作によって駆動することにより順次煙突の下側へと移動され、煙突１の周方向及び垂直方向の内側面の洗浄が遠隔操作を用いた無人化施工工程により行われる。なお、上述した集塵機８には、燃焼付着灰をトラップするに充分なフィルターを装着する。
【００３３】
本発明の無人化施工による煙道６内部の洗浄は、上述したロータリエアジェット洗浄機を用いて煙突解体工法における後述する軽量発泡モルタルの充填工程の後に行われることが耐火煉瓦壁が洗浄中に崩れないようにする点で好ましい。
しかしながら、本発明においては、上述の汚染煉瓦洗浄工程１０６を充填材充填工程１０５の後に行うものとして説明しているが、耐火煉瓦壁４の強度等が充分であることが予めわかっている場合には、充填材注入工程１０５の前に汚染煉瓦洗浄工程１０６を行うことも可能である。
【００３４】
次いで本発明が適用される煙突解体工法は、ステップ１０７の短尺切断加工工程に移る。この工程は、煙突を横倒しにする等の周囲環境に汚染を引き起こさずに、煙突の静的な解体を可能とする工程である。この短尺切断加工工程を図７を参照しつつ説明する。まず、ステップ１０７の短尺切断加工工程では、煙突に近接して作業用足場３７ａ，３７ｂを仮設する。次いで、この作業用足場３７ａ，３７ｂの周囲に仮囲い３８を地面ＧＬから仮設する。この仮囲い３８は、短尺切断加工工程中における粉塵の発生による周囲環境や作業者への汚染をより防止するために配置される。また、この仮囲い３８は、作業用足場３７ａ，３７ｂ及び煙突１の高さよりも高くされていることが、汚染をより確実に防止する点から好ましい。
【００３５】
次いで、短尺切断加工工程１０７では、図８に示すようにしてワイヤソー工法により煙突１の切断が行われる。この短尺切断加工工程１０７では、図８に示すように地上からガイドプーリ３９を介して延ばされたワイヤソー４０を煙突の外筒３に掛け渡し、駆動装置４１によりワイヤソー４０を巡回駆動させて煙突１を切断する。また、本発明においては、適宜ブレード式のコンクリートカッタを用いることもできる。
【００３６】
図８においては、ワイヤソー手段４０がＲＣ構造物、具体的には煙突１に掛け渡され、複数のガイドプーリ手段３９によって駆動装置４１へと連結されているのが示されている。この駆動装置４１は、地面に設置された移動装置４２上に載置されている。この移動装置４２は、煙突１と言ったＲＣ構造物に対して水平方向に移動できるようにされており、ワイヤソー手段４０に加えられる切断荷重が可変となるようにされ、煙突１と言ったＲＣ構造物を駆動装置４１及び移動装置４２の配置された側の反対方向から適切な切断荷重をもって連続して切断できるようにされている。駆動装置４１，移動装置４２については、適切なトルクを与えることができ、かつ、適切な切断荷重を与えることができるように駆動装置４１を移動できるものであればいかなるものでも用いることができる。
【００３７】
次いで、本発明を適用する煙突解体工法は、ステップ１０８の切断部移動工程に移る。
この切断部移動工程は、短尺切断された煙突１の切断部分４３をさらに細かく分解するための作業室へと移動させる工程である。この工程は、すでにステップ１０５の充填材充填工程において発泡モルタル耐火煉瓦壁４が外筒３に固定されているので、煉瓦の離脱といった問題が生じずに効率よく行うことが可能とされている。
【００３８】
図７を参照してこの切断部移動工程１０８を説明する。この切断部移動工程１０８では、まず、煙突１の大割された部分４３の頂部に設置された洗浄機設置用架台３０にワイヤを掛け渡し、図示しないクレーンにより図７の矢線Ｅで示されるように、切断部分４３を垂直方向に移動させ、作業用足場３７ａ，３７ｂや、仮囲い３８を超えるまで上昇させ、例えば地面に一端載置した後、別工程で後小割作業室へと移動させることにより行われても良いし、小割作業室の屋根部分が開閉式にされていて、直接クレーンから小分け作業室へと移動できるようにされていても良い。なお、上述したステップ１０７の短尺切断加工工程及びステップ１０８の切断部移動工程中においては、集塵機８は常時起動されていて、汚染粉塵が周囲環境に飛散しないようにされていることが好ましい。このようにすることにより周囲環境への汚染が防止できる。
【００３９】
次いで、本発明を適用する煙突解体工法は、図９に示されるステップ１０９の解体工程、すなわち小割工程に移る。このステップ１０９の小割工程においては、煙突１の切断部分４３を周囲環境から遮断された小割作業室４４に移動させた後、この小割作業室から離れた操作室４５からの無線操作により遠隔的に操作される無線操縦バックホウ等といった作業機械が用いられる。この際の操作にあたっては、非汚染区域に設けられた操作室４５のモニタを見ながら操作盤によりバックホウを操作する。バックホウには、車載カメラが取付けられており、実際にバックホウを運転しているように小割作業において遠隔操作により無人化施工を行うことが可能とされている。この小割作業室４４についても集塵機４６が取付けられていて、周囲環境を汚染しないようにされている。
【００４０】
次いで、本発明を適用する煙突解体工法は、ステップ１１０の廃棄物処分工程へと移る。この廃棄物処分工程では、汚染がされていないＲＣ壁を作業場外へと搬出し、汚染の程度の高い耐火煉瓦については、別途ドラム缶詰めを行い、別の棟の内部に保管する等して適切な処理を行うことが好ましい。
【００４１】
さらに、残された煙突１の部分は、新たにクレーン吊り上げ用部材を外筒３部分に装着し、上述したステップ１０７〜１１０までの工程を繰り返すことにより解体される。このようにして本発明の煙突解体工法が終了した時点においては、煙突１の地上部分が周囲環境への汚染なく解体できることになる。
【００４２】
さらに、本発明では、必要に応じてさらに汚染を低減させるために、煙突１の表面部をハツリといった工程により予め除去してから上述の解体工法を行うことも可能である。
【発明の効果】
【００４３】
本発明の請求項１の発明によれば、基礎から頂部にまで垂直方向に延びた外筒と該外筒に沿って径方向内側に離間し周方向に延びて上記外筒との間に空間を形成するとともに内側面が煙道を画成する耐火煉瓦壁とを備えた煙突の煙道内洗浄方法において、回動可能とされた高圧エア噴出手段を備える遠隔操作可能な煙道内洗浄手段を上記煙道に挿入し、煙道内部を周囲環境から遮断し、高圧エアを煙道内側面に噴出させて該煙道内側面の周方向に沿って上記高圧エア噴出手段を回動させ、上記煙突の垂直方向にわたって上記煙道洗浄手段を移動させることにより上記煙道内側面から燃焼付着灰を除去するとともに上記煙突の下側所定位置に形成された開口に連結させた上記燃焼付着灰を捕捉するフィルター手段を備える吸引手段により吸引することを特徴とする煙道内洗浄方法が提供されるので、作業環境に優れた無人化施工が可能な煙道内洗浄方法が提供できる。
【００４４】
本発明の請求項２の発明によれば、上記高圧エア噴出手段は、該高圧エア噴出手段中心に配設されたエアモータ１７’により駆動されることを特徴とする煙道内洗浄方法が提供されるので、作業環境に優れた無人化施工が可能な煙道内洗浄方法が提供できる。
【００４５】
本発明の請求項３の発明によれば、煙道内に挿入され煙突の中心軸と同心に配設される上側支持体及び下側支持体と、該上側支持体と該下側支持体の間に同心に取付けられ高圧エア供給部材から供給される高圧エアにより回動可能な高圧エア噴出部材と、一端が上記上側支持体に運動可能に取付けられ他端に煙道内側面に隣接する回転部材を備え軸対称に上記上側支持体に取付けられた複数の上側支持部材と、上記上側支持体と上記下側支持体と上記高圧エア噴出部材とを一体として垂直方向に移動可能に吊下する移動手段を取付けるため上記上側支持体に備えられた取付部材と、一端が前記下側支持体に運動可能に取付けられ他端に上記煙道内側面に隣接する回転部材を備え軸対称に上記下側支持体に取付けられた複数の下側支持部材と、一端が上記下側支持体に取付けられ他端が該下側支持部材に連結されて該下側支持部材を上記煙道内側面に対して押圧するための複数の押圧部材とを備え、上記移動手段により垂直方向に移動されると共に上記高圧エア噴出部材から上記高圧エアを噴出させることにより燃焼付着灰を除去することで上記煙道内側面を垂直方向及び周方向に対して洗浄することを特徴とする煙道内洗浄装置が提供されるので、煙道内側面を無人化施工でき、作業環境に優れた煙道内洗浄装置が提供できる。
【００４６】
本発明の請求項４の発明によれば、上記上側支持部材及び上記下側支持部材に配設される上記回転部材は、上記煙道内洗浄装置を上記煙突の垂直方向にガイドするガイドローラとされていることを特徴とする煙道内洗浄装置が提供されるので、作業環境に優れた高効率の煙道内洗浄装置が提供できる。
【００４７】
本発明の請求項５の発明によれば、上記高圧エア噴出部材は、上記高圧エアが導入され回動可能に支持された中心エアモータと、該中心エアモータに軸対称に取付られ上記高圧エアを上記煙道内側面に供給する連通部材と、該連通部材の上記煙道内側面に近接する端部に備えられ上記連通部材の弾性により上記煙道内側面に押圧されるガイド部材と、該連通部材の上記煙道内側面に向いた側に設けられ上記高圧エアを上記煙道内側面に噴射するエアノズルとを備えていることを特徴とする煙道内洗浄装置が提供されるので、煙道内側面を効率よく洗浄できるとともに、煙道内側面を無人化施工でき、作業環境に優れた煙道内洗浄装置が提供できる。
【図面の簡単な説明】
【図１】  本発明により解体される煙突の概略断面図。
【図２】  本発明の煙道内洗浄工程を示した図。
【図３】  本発明の煙道内洗浄装置の分解上面図。
【図４】  本発明の煙道内洗浄装置の側面図。
【図５】  本発明を適用する煙突解体工法を示したフローチャート。
【図６】  本発明を適用する煙突解体工法に用いられる充填剤充填工程を示した図。
【図７】  本発明を適用する煙突解体工法に用いられる短尺切断加工工程を示した図。
【図８】  本発明を適用する煙突解体工法に使用するワイヤソーを示した図。
【図９】  本発明を適用する解体工法における小割工程を示した概略図。
【符号の説明】
１…煙突
２…基礎
３…外筒
４…耐火煉瓦壁
５…煙道口
６…煙道
７…空間
８…集塵機
８ａ…通気パイプ
９…密閉カバー
１０…煙道内側面
１１…煙道内洗浄装置
１２…ウインチ
１３…高圧エア供給部材
１４…コンプレッサ
１５…ワイヤ
１６…上側支持部材
１７…高圧エア噴出装置
１７’…エアモータ
１８…下側支持体
１９…高圧エア導入口
２０…スプリングパイプ
２１…ローラ
２２…エアノズル
２３…エアスイベル
２４ａ，２４ｂ…上側支持部材
２５ａ，２５ｂ…ガイドローラ
２６ａ，２６ｂ…下側支持部材
２７ａ，２７ｂ…ガイドローラ
２８ａ，２８ｂ…エアシリンダー
２９…取付部材
３０…煙道内洗浄装置用架台
３１…開口部
３２…充填材注入手段
３３…充填用ポンプ
３４…充填プラント
３５…発泡剤混合プラント
３６…軽量発泡モルタル充填部分
３７ａ，３７ｂ…作業用足場
３８…仮囲い
３９…ガイドプーリ
４０…ワイヤソー
４１…駆動手段
４２…移動手段
４３…切断部分
４４…小割作業室
４５…操作室
４６…集塵機
ＧＬ…グラウンドレベル
【図１】
0003799571.tif 000002
【図２】
0003799571.tif 000003
【図３】
0003799571.tif 000004
【図４】
0003799571.tif 000005
【図５】
0003799571.tif 000006
【図６】
0003799571.tif 000007
【図７】
0003799571.tif 000008
【図８】
0003799571.tif 000009
【図９】
0003799571.tif 000010